【手続補正書】
【提出日】平成24年1月27日(2012.1.27)
【手続補正１】
【補正対象書類名】特許請求の範囲
【補正対象項目名】全文
【補正方法】変更
【補正の内容】
【特許請求の範囲】
【請求項１】
遠隔デバイスに動作無線電力を供給する誘導電力供給装置であって，
誘導場発生回路と，
前記誘導場発生回路に電気的に接続され，動作周波数で前記誘導場発生回路を運転することができる周波数制御回路と，
遠隔デバイスの反射インピーダンスを示す前記誘導電力供給装置内の電力特性を検出する反射インピーダンス検出回路と，
前記反射インピーダンス検出回路の前記検出された特性によって前記遠隔デバイスの識別プロファイルを判定する識別回路であって，前記識別プロファイルは１又は複数の共振周波数を有する回路と，
１又は複数の共振周波数を含む，複数の既知遠隔デバイスの共通識別プロファイルを記憶するメモリと，
前記遠隔デバイスが，前記共通識別プロファイルに対応する識別プロファイルを有するとき，前記遠隔デバイスに動作無線電力を供給する電源制御回路と，
を備える誘導電力供給装置。
【請求項２】
前記誘導場発生回路は，１次コイルを有するタンク回路を含む請求項１に記載の誘導電力供給装置。
【請求項３】
前記周波数制御回路は，発振器及び駆動器を含む請求項２に記載の誘導電力供給装置。
【請求項４】
前記反射インピーダンス検出回路は，前記タンク回路に接続された電流検出変成器を含む請求項３に記載の誘導電力供給装置。
【請求項５】
前記周波数制御回路は，前記誘導場発生回路の動作周波数を，前記反射インピーダンス検出回路の出力によって制御することができる，請求項１に記載の誘導電力供給装置。
【請求項６】
前記電源制御回路は，前記遠隔デバイスに含まれる電池を充電するために，前記動作無線電力の前記遠隔デバイスへの供給を管理する，請求項１に記載の誘導電力供給装置。
【請求項７】
前記電源制御回路は，前記動作無線電力を前記遠隔デバイスへ直接供給する，請求項１に記載の誘導電力供給装置。
【請求項８】
前記誘導電力供給回路は，複数の前記遠隔デバイスに動作無線電力を供給することができ，前記識別回路は，前記複数の前記遠隔デバイスそれぞれの複数の識別プロファイルを判定することがきる，請求項１に記載の誘導電力供給装置。
【請求項９】
前記遠隔デバイスは，該遠隔デバイスに前記共通識別プロファイルに対応する識別プロファイルを提供するための識別コンデンサを含む，請求項１に記載の誘導電力供給装置。
【請求項１０】
動作無線電力を遠隔デバイスに供給する誘導電力供給装置を制御する方法であって，
前記誘導電力供給装置によって電力供給される複数の既知の遠隔デバイスの共通識別プロファイルを判定するステップであって，前記共通識別プロファイルは１又は複数の共振周波数を含む，ステップと，
前記動作無線電力を受電するように構成されたデバイス回路及び２次コイルを備える前記遠隔デバイスを用意するステップであって，前記動作無線電力は前記デバイス回路を動作させるために用いられる，ステップと，
前記共通識別プロファイルの前記１又は複数の共振周波数で前記遠隔デバイスに誘導場を印加するステップと，
前記遠隔デバイスが前記共通識別プロファイルに対応する共振周波数プロファイルを有するかどうかを判定するステップと，
前記遠隔デバイスが前記共通識別プロファイルに対応する共振周波数プロファイルを有するとき，前記遠隔デバイスに動作無線電力を供給するように前記誘導電力供給装置を運転するステップと，
を有する方法。
【請求項１１】
前記用意するステップは，前記遠隔デバイスに前記共通識別プロファイルに対応する共振周波数プロファイルを供給するための識別コンデンサを前記遠隔デバイスに用意するステップを含む，請求項１０に記載の方法。
【請求項１２】
前記誘導電力供給装置によって電力供給される前記遠隔デバイスに一意の識別プロファイルを提供するステップと，
前記誘導電力供給装置に関係するメモリに，前記一意の識別プロファイル及び関係する動作パラメータを記憶するステップと，
前記遠隔デバイスが前記共通識別プロファイルに対応する共振周波数プロファイルを有することが判定されたとき，１又は複数の前記一意の識別プロファイルに対応する１又は複数の共振周波数で，前記遠隔デバイスに誘導場を印加するステップと，
前記遠隔デバイスが前記一意の識別プロファイルのうち一つに対応する共振周波数プロファイルを有するかどうかを判定するステップと，
前記遠隔デバイスが前記一意の識別プロファイルのうち一つに対応することが判定されたとき，前記メモリから関係する動作パラメータを取得するステップと，
前記取得するステップに続いて，前記動作無線電力を前記遠隔デバイスに供給するために，前記の取得した動作パラメータに従って，前記誘導電力供給装置を運転するステップと，
を更に含む請求項１０に記載の方法。
【請求項１３】
遠隔デバイスに電力を供給するために誘導電力供給装置を運転する方法であって，
デバイス回路と，動作無線電力を受電するように構成された２次コイルとを有する前記遠隔デバイスを用意するステップであって，前記動作無線電力は前記デバイス回路を動作させるために用いられる，ステップと，
前記誘導電力供給装置に関係するメモリに，少なくとも一つの既知の識別プロファイルを記憶するステップと，
誘導場内に含まれる前記遠隔デバイスの識別プロファイルを判定するために，１又は複数の周波数で前記遠隔デバイスに誘導電力を印加するステップと，
前記の判定された識別プロファイルが前記少なくとも一つの記憶された識別プロファイルの１又は複数に対応するかどうか判定するために，前記判定された識別プロファイルと前記少なくとも一つの記憶された既知の識別プロファイルとを比較するステップと，
前記判定された識別プロファイルが前記少なくとも一つの記憶された識別プロファイルの１又は複数に対応することの判定に基づいて，前記遠隔デバイスに前記動作無線電力を供給するように前記誘導電力供給装置を運転するステップと，
を有する方法。
【請求項１４】
前記遠隔デバイスに前記少なくとも一つの記憶された識別プロファイルの１又は複数に対応する識別プロファイルを用意するために，前記遠隔デバイスに識別コンデンサを用意するステップを更に含む請求項１３に記載の方法。
【請求項１５】
前記判定された識別プロファイルが前記少なくとも一つの記憶された識別プロファイルの１又は複数に対応することの判定に基づいて，前記メモリから前記誘導電力供給装置の動作パラメータを取得するステップを更に含み，前記動作パラメータは，前記誘導電力を印加するステップの１又は複数の周波数とは異なる動作周波数を含む，請求項１３に記載の方法。
【請求項１６】
前記遠隔デバイスは，前記誘導電力を印加するステップの１又は複数の周波数のうち少なくとも一つに対応する少なくとも一つの共振識別周波数を供給するために，前記２次コイルに接続された識別回路を備え，
前記動作パラメータは，前記識別回路によって供給される前記少なくとも一つの共振識別周波数とは異なる動作周波数を含む，請求項１５に記載の方法。
【請求項１７】
前記判定された識別プロファイルは，前記遠隔デバイスの受電回路によって少なくとも部分的に規定される，前記遠隔デバイスの固有共振周波数を含み，前記受電回路は前記２次コイルを含む，請求項１３に記載の方法。
【請求項１８】
前記少なくとも一つの既知の識別プロファイルは，それぞれ１又は複数の共振周波数を含む，請求項１３に記載の方法。
【請求項１９】
前記印加ステップは，前記既知の識別プロファイルと関係する前記１又は複数の共振周波数の電力パルスを印加するステップと，
前記遠隔デバイスが前記１又は複数の印加された周波数の共振周波数を有するかどうかを判定するために，前記誘導電力供給装置のタンク回路内の電流を検知するステップと，
を含む請求項１８に記載の方法。
【請求項２０】
遠隔デバイスに動作無線電力を供給するための誘導電力供給装置であって，
駆動器と，
１次コイルを有する１次回路と，
前記遠隔デバイスの反射インピーダンスを示す前記１次回路内の電力特性を検出するようになっている前記１次回路内の検出器と，
前記検出器の出力によって前記遠隔デバイスの識別プロファイルを判定する識別回路と，
少なくとも一つの既知の識別プロファイルを記憶するメモリと，
前記遠隔デバイスが前記少なくとも一つの既知の識別プロファイルに対応する識別プロファイルを有するとき，前記遠隔デバイスに前記動作無線電力を供給するように，前記誘導電力供給装置の運転を制御する制御回路と，
を備える誘導電力供給装置。
【請求項２１】
前記メモリは，前記既知の識別プロファイルに関係する少なくとも一つの動作パラメータを記憶する，請求項２０に記載の誘導電力供給装置。
【請求項２２】
前記制御回路は，前記遠隔デバイスの前記識別プロファイルによって選択された動作パラメータに従って，前記遠隔デバイスに動作無線電力を供給するように，前記誘導電力供給装置の運転を制御する，請求項２０に記載の誘導電力供給装置。
【請求項２３】
前記遠隔デバイスは電池を含み，前記動作無線電力は前記電池を充電するために用いられる，請求項２０に記載の誘導電力供給装置。
【請求項２４】
前記識別プロファイルは，前記遠隔デバイスの固有共振周波数を含む，請求項２０に記載の誘導電力供給装置。
【請求項２５】
前記遠隔デバイスは識別コンデンサを含む，請求項２０に記載の誘導電力供給装置。
【請求項２６】
前記遠隔デバイスは複数の識別コンデンサを含む，請求項２０に記載の誘導電力供給装置。